(57)【特許請求の範囲】
【請求項１】
キー入力部から入力されたキーワードにより移動体通信装置に備えられた機能を検索する移動体通信装置のメニュー検索方法において、
前記キー入力部から入力されたキーワードをキー入力記憶部に格納する第１のステップと
前記キーワードが格納されたキー入力記憶部のデータポインタを初期化し、該データポインタまでの前記キーワードデータを機能名記憶部に格納されているデータと比較することにより検索を行い、一致したデータを第１の機能表示用データ記憶部に格納する第２のステップと、
前記キー入力記憶部のデータポインタを更新し、該更新されたデータポインタまでの前記キーワードデータを前記第１の機能表示用データ記憶部に格納されたデータと比較することにより検索を行い、一致したデータを第２の機能表示用データ記憶部に格納するとともに前記第１の機能表示用データ記憶部を初期化する第３のステップと、
前記キー入力記憶部のデータポインタを更新し、該更新されたデータポインタまでの前記キーワードデータを前記第２の機能表示用データ記憶部に格納されたデータと比較することにより検索を行い、一致したデータを前記第１の機能表示用データ記憶部に格納するとともに前記第２の機能表示用データ記憶部を初期化する第４のステップと、
前記第３のステップと第４のステップを、前記キー入力記憶部のデータポインタを更新しながら交互に繰り返し、前記キー入力記憶部の最後のデータポインタにおける前記検索データが格納された前記第１または第２のいずれか一方の機能表示用データ記憶部のデータを表示部に出力する第５のステップとからなることを特徴とする移動体通信装置のメニュー検索方法。
【請求項２】
前記第２のステップにおいて前記一致したデータがないとき、前記表示部に該当データ無しを表示して前記検索を終了することを特徴とする請求項１に記載の移動体通信装置のメニュー検索方法。
【請求項３】
前記第３または第４のステップにおいて前記一致したデータが無くなったとき、該一致したデータが無くなったステップの直前のステップにおける一致したデータを格納している前記第１または第２のいずれか一方の機能表示用データ記憶部のデータを読み出して前記表示部に表示して前記検索を終了することを特徴とする請求項１に記載の移動体通信装置のメニュー検索方法。
【請求項４】
着信により前記検索が中断されたとき、終話後に前記中断時点における前記キー入力記憶部のデータポインタから前記検索を再開することを特徴とする請求項１〜３のいずれかに記載の移動体通信装置のメニュー検索方法。
【請求項５】
前記キーワードが入力されずに前記キーワード検索要求がなされたとき、前記表示部に前記第１または第２のいずれか一方の機能表示用データ記憶部に格納されている前回のデータを表示することを特徴とする請求項１〜４のいずれかに記載の移動体通信装置のメニュー検索方法。
【請求項６】
移動体通信装置のキー入力部から入力されたキーワードにより前記移動体通信装置に備えられた機能名記憶部に格納されている機能名を検索する処理を前記移動体通信装置に備えられた装置制御部に実行させるためのメニュー検索プログラムであって、
前記キー入力部から入力されたキーワードをキー入力記憶部に格納する第１のステップと
前記キーワードが格納されたキー入力記憶部のデータポインタを初期化し、該データポインタまでの前記キーワードデータを前記機能名記憶部に格納されているデータと比較することにより検索を行い、一致したデータを第１の機能表示用データ記憶部に格納する第２のステップと、
前記キー入力記憶部のデータポインタを更新し、該更新されたデータポインタまでの前記キーワードデータを前記第１の機能表示用データ記憶部に格納されたデータと比較することにより検索を行い、一致したデータを第２の機能表示用データ記憶部に格納するとともに前記第１の機能表示用データ記憶部を初期化する第３のステップと、
前記キー入力記憶部のデータポインタを更新し、該更新されたデータポインタまでの前記キーワードデータを前記第２の機能表示用データ記憶部に格納されたデータと比較することにより検索を行い、一致したデータを前記第１の機能表示用データ記憶部に格納するとともに前記第２の機能表示用データ記憶部を初期化する第４のステップと、
前記第３のステップと第４のステップを、前記キー入力記憶部のデータポインタを更新しながら交互に繰り返し、前記キー入力記憶部の最後のデータポインタにおける前記検索データが格納された前記第１または第２のいずれか一方の機能表示用データ記憶部のデータを表示部に出力する第５のステップとを有することを特徴とする移動体通信装置のメニュー検索プログラム。
【請求項７】
前記第２のステップにおいて前記一致したデータがないとき、前記表示部に該当データ無しを表示して前記検索処理を終了するステップを有することを特徴とする請求項６に記載の移動体通信装置のメニュー検索プログラム。
【請求項８】
前記第３または第４のステップにおいて前記一致したデータが無いとき、該一致したデータが無いステップの直前のステップにおける一致したデータを格納している前記第１または第２のいずれか一方の機能表示用データ記憶部のデータを読み出すステップと、該読み出したデータを前記表示部に表示して前記検索処理を終了するステップを有することを特徴とする請求項６に記載の移動体通信装置のメニュー検索プログラム。
【請求項９】
着信により前記検索処理が中断されたとき、終話後に前記中断時点における前記キー入力記憶部のデータポインタから前記検索処理を再開するステップを有することを特徴とする請求項６〜８のいずれかに記載の移動体通信装置のメニュー検索プログラム。
【請求項１０】
前記キーワードが入力されずに前記キーワード検索要求がなされたとき、前記表示部に前記第１または第２のいずれか一方の機能表示用データ記憶部に格納されている前回のデータを表示するステップを有することを特徴とする請求項６〜９のいずれかに記載の移動体通信装置のメニュー検索プログラム。
【発明の詳細な説明】
【０００１】
【発明の属する技術分野】
本発明は、携帯電話機等の移動体通信装置に関し、特に移動体通信装置が備えている複数の付加的機能の中から所望の機能を選択して実行させるためのメニュー検索方法に関する。
【０００２】
【従来の技術】
携帯電話機には多数の機能がメニューとして予め設定されており、これらのメニューは、携帯電話機内のメモリに機能名称と機能とを対応させたテーブルとして備えられている。ユーザーによりテーブル内に記憶された機能名称が指定されると、このテーブルが参照されて指定された機能名称に対応する機能が実行されるようになっている。実行させるメニューを呼び出す方法として以下のような方法が採用されている。
【０００３】
第１の方法は、メニュー選択に際して一覧表示された各種機能名称の中から選択する方法であり、メニュー選択キーを押下すると、スクロール機能によりテーブルが上下移動してテーブルの先頭から所定数の機能名称とカーソルが携帯電話機の表示画面上に表示される。ユーザーが選択キーを押下することによりカーソルを移動させて所望の機能名称にカーソルを合わせた後、確定キーを押すことにより所望の機能が選択され、実行される。
【０００４】
携帯電話機の表示画面上に同時に表示できる機能名称の数には限りがあり、テーブルに格納されている機能名称の全てを一度に表示させることはできない。従ってこの方法では、メニュー選択の際、選択キーによりテーブルに記憶されている機能名称を順次スクロール表示させて確認しながら、カーソルを所望の機能名称に合わせる操作を行う必要があり、スクロール等の操作に手間がかかり、また、キー操作の回数も多くなって機能選択が煩雑である。
【０００５】
第２の方法は、各機能に固有に付加された番号を入力することにより所望の機能を選択する方法である。この方法では、メモリに機能番号と機能とを対応させるテーブルを備えておき、ユーザーが実行したい機能を番号で直接入力すると、テーブルが参照されて当該番号に対応する機能が選択され、実行される。この方法は、第１の方法と比較してより迅速にメニューを選択することが可能となるが、機能番号が予め分かっていなければ所望の機能を見つけ出すことができないので、その場合には手間がかかっても第１の方法で機能選択を行うしかない。
【０００６】
上記第１および第２の方法の問題点を解決する手段として、キーワードを入力することにより所望の機能を検索し、検索結果を表示させてその中から所望の機能を選択する方法を備えた携帯電話機が特開２０００−２１６８７１号公報に記載されている。該公報記載の携帯電話機は、キーワードを入力する手段と、入力されたキーワードを含む機能名を検索する手段と、検索された機能名を表示する手段と、表示された機能名の中から所望の機能を指定する手段とを備えている。
【０００７】
該公報記載の携帯電話機では、ユーザーが実行させたいキーワードを入力すると、検索手段が入力されたキーワードに基づいて該当する機能名を検索し、検索の結果該当する機能名が存在する場合にはそれらの機能名を表示する。この表示された機能名の中からユーザーが所望の機能を指定して確定キーを押下すると携帯電話機はその機能を実行する。従って、機能番号を把握していないときでも素早い機能選択が可能となる。
【０００８】
【発明が解決しようとする課題】
上記公報記載の携帯電話機における機能選択方法によれば、入力されたキーワードに基づいて所望の機能名を検索するように構成されているため、機能名を順次スクロールさせながら所望の機能名を探す手間が省け、また予め指定されている機能番号が分からない場合であっても比較的速やかに所望の機能を選択して実行させることが可能であるが、検索した内容は保存されておらず、また例えば、キーワードを入力して機能を検索している途中で着信があり、検索が中断した場合には入力されたキーワード以降のデータは全て無駄になる。従って、終話した時には検索内容が記憶されていないので再度キーワードから入力し直さなければならないという問題がある。
【０００９】
本発明の目的は、以上の問題点に鑑み、キーワードを入力することにより所望の機能を検索し、検索結果を表示させてその中から所望の機能を選択する携帯電話機等の移動体通信装置における機能選択方法において、機能検索途中で着信等により機能検索が中断された場合であっても、終話後に中断された機能検索を中断時点から再開可能にする手段を提供することにある。
【００１０】
本発明の他の目的は、一度キーワードにより検索した機能に対して、次回の当該キーワードによる検索を省略可能にする手段を提供することにある。
【００１１】
【課題を解決するための手段】
本発明の移動体通信装置は、キー入力部から入力されたデータを格納するキー入力記憶部と、移動体通信装置に備えられている各種機能名を記憶する機能名記憶部と、キーワードによる検索とその検索結果のデータを保存する第１及び第２の機能表示用データ記憶部を備えており、そのメニュー検索方法は、前記キー入力部から入力されたキーワードをキー入力記憶部に格納する第１のステップと、前記キーワードが格納されたキー入力記憶部のデータポインタを初期化し、該データポインタまでの前記キーワードデータを機能名記憶部に格納されているデータと比較することにより検索を行い、一致したデータを第１の機能表示用データ記憶部に格納する第２のステップと、前記キー入力記憶部のデータポインタを更新し、該更新されたデータポインタまでの前記キーワードデータを前記第１の機能表示用データ記憶部に格納されたデータと比較することにより検索を行い、一致したデータを第２の機能表示用データ記憶部に格納するとともに前記第１の機能表示用データ記憶部を初期化する第３のステップと、前記キー入力記憶部のデータポインタを更新し、該更新されたデータポインタまでの前記キーワードデータを前記第２の機能表示用データ記憶部に格納されたデータと比較することにより検索を行い、一致したデータを前記第１の機能表示用データ記憶部に格納するとともに前記第２の機能表示用データ記憶部を初期化する第４のステップと、前記第３のステップと第４のステップを、前記キー入力記憶部のデータポインタを更新しながら交互に繰り返し、前記キー入力記憶部の最後のデータポインタにおける前記検索データが格納された前記第１または第２のいずれか一方の機能表示用データ記憶部のデータを表示部に出力する第５のステップとからなることを特徴とする。
【００１２】
【発明の実施の形態】
図１は、本発明を携帯電話機に対して適用した実施の形態を示すブロック図である。
【００１３】
携帯電話機は、電話番号入力あるいはデータを入力するキー入力部１と、ＬＣＤ表示器等からなりデータ表示を行う表示部３と、各種機能のデータを記憶する記憶装置部４と、基地局との間で無線通信を行うためのアンテナ５と、基地局との間で無線による送受信を行う無線部６と、送受話部７と、着信報知部８と、キー入力部１、表示部３、記憶装置部４、無線部６、送受話部７および着信報知部８と接続され、それらの動作の制御及び信号処理を行うＣＰＵ等からなる装置制御部２を有している。
【００１４】
記憶装置部４には、キー入力部１から入力されたデータを格納するキー入力記憶部４１と、携帯電話機に備えられている各種機能名を記憶する機能名記憶部４２と、キーワードによる検索とその検索結果のデータを保存する第１および第２の機能表示用データ記憶部４３および４４が設けられている。なお、図示されていないが、記憶装置部４には、本発明の機能名検索処理プログラムあるいは上記各機能名に対応する処理プログラム等も格納されており、これらの処理プログラムは装置制御部２によって実行される。
【００１５】
図１において、キー入力部１から入力されたデータは装置制御部２にて解析され表示部３のＬＣＤに表示される。このキー入力部１から入力されたデータを装置制御部２にて解析した結果、キー操作を確定する動作であった場合は、それまでに入力されたキー入力データをキー入力記憶部４１に格納し、キー入力記憶部４１のデータポインタを初期化してキー入力記憶部４１の最初のデータポインタまでのデータと機能名記憶部４２に記憶している機能名一覧との間に一致するデータが有るか否か比較する。
【００１６】
比較した結果、機能名記憶部４２に記憶されている機能名一覧の中に、キー入力記憶部４１に格納されている最初のデータポインタまでのデータに該当するデータが有った場合、その機能名を第１の機能表示用データ記憶部４３に格納する。全ての機能名と比較が完了したところで、該当する機能名が無かった場合は、表示部３のＬＣＤに該当するデータが無かった旨を表示する。該当するデータが有った場合は、キー入力記憶部４１のデータポインタを更新してキー入力記憶部４１に格納されている次のデータを含んだデータと第１の機能表示用データ記憶部４３に格納されているデータを比較する。
【００１７】
比較した結果、一致しているデータが無かった場合は、第１の機能表示用データ記憶部４３に格納されている機能名を表示部３のＬＣＤに表示する。一致しているデータが有った場合は、第２の機能表示用データ記憶部４４に該当する機能名を格納する。
【００１８】
第１の機能表示用データ記憶部４３に格納されている全ての機能と比較が完了したところで、第２の機能表示用データ記憶部４４にデータが格納されている場合は、第１の機能表示用データ記憶部４３に格納されているデータを削除（初期化）し、キー入力記憶部４１に格納されている次のデータを含んだデータと第２の機能表示用データ記憶部４４に格納されているデータを比較する。
【００１９】
比較した結果、一致しているデータが無かった場合は、第２の機能表示用データ記憶部４４に格納されている機能名を表示部３のＬＣＤに表示する。一致しているデータが有った場合は、第１の機能表示用データ記憶部４３に該当する機能名を格納する。第２の機能表示用データ記憶部４４に格納されている全ての機能と比較が完了したところで、第１の機能表示用データ記憶部４３にデータが格納されている場合は、第２の機能表示用データ記憶部４４に格納されているデータを削除する。
【００２０】
キー入力記憶部４１に格納されている全てのデータが比較されるまで、第１の機能表示用データ記憶部４３と第２の機能表示用データ記憶部４４を繰り返し使用する。キー入力記憶部４１に格納されている全てのデータが比較されたところで、第１の機能表示用データ記憶部４３か第２の機能表示用データ記憶部４４のどちらかに格納されている機能名データを表示部３のＬＣＤに表示する。
【００２１】
ユーザーは、表示された機能一覧から使用したい機能を選択する事が出来る。更に、検索した結果は、機能表示用データ記憶部に保存されている為、同じキーワードで検索する場合は再度、キーワードを入力して検索を行わなくても検索結果を読み出すだけで機能を選択する事が出来る。
【００２２】
図２〜図３は、本発明の動作を示すフローチャートである。以下、図１〜図３を参照して本実施形態の機能選択動作について詳細に説明する。
【００２３】
携帯電話機に所望の機能を実行させるために、ユーザーがキー入力部１からデータ入力を行うと、キー入力部１より装置制御部２にキーデータが通知され、通知を受けた装置制御部２は、キーデータが機能名検索要求か否かの判断を行う（図２：Ａ１）。解析の結果、機能名検索要求で無かった場合には、機能名検索結果表示中か否かを判断する（図２：Ａ２）。機能名検索結果の表示中で有れば、該当する機能を起動する（図２：Ａ３）。機能名検索結果の表示中で無かった場合は、キー入力記憶部４１に入力データを格納する（図２：Ａ４）。
【００２４】
一方、機能名検索要求であった場合、キー入力情報がキー入力記憶部４１に有るか否か判断する（図２：Ａ５）。キー入力情報がキー入力記憶部４１に有った場合は、第１の機能表示用データ記憶部４３、第２の機能表示用データ記憶部４４、キー入力記憶部４１に格納されているデータの検索位置を示すデータポインタを初期化する（図２：Ａ６）。
【００２５】
キー入力情報がキー入力記憶部４１に無かった場合は、第１の機能表示用データ記憶部４３または第２の機能表示用データ記憶部４４にデータが格納されている場合、格納されているデータを表示部３のＬＣＤに出力し表示する。第１および第２の機能表示用データ記憶部４３および４４にデータが格納されていなかった場合は、該当データが無い旨のメッセージを表示部３のＬＣＤに出力し、表示する（図２：Ａ７）。
【００２６】
第１の機能表示用データ記憶部４３、第２の機能表示用データ記憶部４４、キー入力記憶部４１に格納されているデータの検索位置を示すデータポインタを初期化した後、キー入力記憶部４１のデータと比較する領域を機能名記憶部４２に設定する（図２：Ａ８）。機能名を表示部３のＬＣＤに表示する為のデータを格納する領域を第１の機能表示用データ記憶部４３に設定する（図２：Ａ９）。キー入力記憶部４１に格納されているデータと比較する機能名が全て比較されたか否か判断する（図２：Ａ１０）。
【００２７】
比較した結果、全ての機能名と比較していない場合、データを比較する領域の機能一覧とキー入力記憶部４１に格納されているデータの検索位置を示すデータポインタが指し示す位置までのデータを比較する（図２：Ａ１１）。比較した結果、データが一致している機能が有ったか否か判断する（図２：Ａ１２）。一致するデータが有った場合、設定されている第１の機能表示用データ記憶部４３に機能名を格納し、比較する機能一覧を更新する（図２：Ａ１３）。
【００２８】
一致するデータが無い場合、比較する機能一覧を更新して機能名検索中か否か判断する（図２：Ａ１０）。機能名の比較が終了していた場合、キー入力記憶部に格納されているデータと機能名に一致したデータが有ったかどうか判断する（図２：Ａ１４）。一致したデータが有った場合、キー入力記憶部４１に格納されているデータが全て比較されたか否か判断する（図２：Ａ１５）。判断した結果、キー入力記憶部４１に格納されているデータが全て比較されていなかった場合、キー入力記憶部４１に格納されているデータの検索位置を示すデータポインタを更新する（図２：Ａ１６）。
【００２９】
前回に比較した結果、一致した機能名が格納されている領域が第１の機能表示用データ記憶部４３かどうか判断する（図３：Ａ１７）。一致した機能名が格納されている領域が第１の機能表示用データ記憶部４３であった場合、キー入力記憶部４１のデータと比較する領域を第１の機能表示用データ記憶部４３に設定する（図３：Ａ１８）。機能一覧を表示部３のＬＣＤに表示するデータを格納している領域を第２の機能表示用データ記憶部４４に設定する（図３：Ａ１９）。
【００３０】
第２の機能表示用データ記憶部４４を初期化し（図３：Ａ２０）、機能名検索中か否かの判断に移行する（図２：Ａ１０）。一致した機能名が格納されている領域が第２の機能表示用データ記憶部４４であった場合、キー入力記憶部４１のデータと比較する領域を第２の機能表示用データ記憶部４４に設定する（図３：Ａ２１）。機能一覧を表示部３のＬＣＤに表示するデータを格納している領域を第１の機能表示用データ記憶部４３に設定する（図３：Ａ２２）。第１の機能表示用データ記憶部４３を初期化し（図３：Ａ２３）、機能名検索中か否かの判断に移行する（図２：Ａ１０）。
【００３１】
キー入力記憶部４１に格納されているデータと機能名に一致したデータが有ったどうか判断し（図２：Ａ１４）、一致したデータが無かった場合、機能表示用データ記憶部に機能名が格納されているか否か判断する（図２：２４）。機能表示用データ記憶部に機能名が格納されている場合、又はキー入力記憶部に格納されているデータと機能名に一致したデータが有り、且つキー入力記憶部４１に格納されているデータが全て比較されていた場合、機能名が格納されている領域が第１の機能表示用データ記憶部４３かどうか判断する（図３：Ａ２５）。
【００３２】
一致した機能名が格納されている領域が第１の機能表示用データ記憶部４３であった場合、該第１の機能表示用データ記憶部４３に格納されている機能名データを表示部３のＬＣＤに出力し、ＬＣＤ表示する（図３：Ａ２６）。一致した機能名が格納されている領域が第２の機能表示用データ記憶部４４であった場合、該第２の機能表示用データ記憶部４４に格納されている機能名データを表示部３のＬＣＤに出力し、ＬＣＤ表示する（図３：Ａ２７）。
【００３３】
機能表示用データ記憶部に機能名が格納されているか否か判断し（図２：Ａ２４）、格納されていなかった場合、該当するデータが無かった旨のメッセージを表示部３のＬＣＤに出力し（図２：Ａ２８）、表示する。
【００３４】
次に一例として、例えば着信に関する機能を検索するために、ユーザーがキー入力部１からキーワード「チャクシン」を入力して検索要求を行った場合の本実施形態の動作について説明する。
【００３５】
キー入力部１より装置制御部２にキーデータ「チャクシン」が通知されると、通知を受けた装置制御部２は、キーデータが機能名検索要求か否かの判断を行う（図２：Ａ１）が、この時点では検索要求ではなく、また機能名検索結果もないので、キー入力部１から入力されたキーワード「チャクシン」がキー入力記憶部４１に格納される（図２：Ａ４）。
【００３６】
この状態でユーザーが機能名検索要求を指示する（図２：Ａ１）と、キー入力情報がキー入力記憶部４１に有るか否かが判断される（図２：Ａ５）が、この場合キー入力記憶部４１にはキー入力情報「チャクシン」が有るので、第１の機能表示用データ記憶部４３、第２の機能表示用データ記憶部４４が初期化（クリア）されるとともに、キー入力記憶部４１に格納されているデータ「チャクシン」の検索位置を示すデータポインタが最初の文字「チ」の位置となるように初期化される（図２：Ａ６）。
【００３７】
次に、キー入力記憶部４１のデータ「チ」と比較する領域を、本装置の機能名称が記憶されている機能名記憶部４２に設定する（図２：Ａ８）とともに、機能名を表示部３のＬＣＤに表示する為のデータを格納する領域を第１の機能表示用データ記憶部４３に設定（図２：Ａ９）して機能名検索を行い、最初の文字が「チ」で始まる機能名データを第１の機能表示用データ記憶部４３に格納する（図２：Ａ１０〜１３）。
【００３８】
機能名記憶部４２内の、最初の文字が「チ」で始まる機能名データの検索が終了した時点（図２：Ａ１０）で、第１の機能表示用データ記憶部４３にデータが格納されていればデータ一致した機能がある（図２：Ａ１４）ので、次に全キー入力データが比較されたか否かが判断される（図２：Ａ１５）が、この時点ではまだ最初のデータ「チ」が比較されただけであるので比較完了とはならず、キー入力記憶部４１のデータポインタが「チャ」に更新される（図２：Ａ１６）。
【００３９】
この時点で、データ「チ」で始まる機能名は全て第１の機能表示用データ記憶部４３に格納されている（図３：Ａ１７）ので、次にキー入力記憶部４１のデータ「チャ」と比較する領域を第１の機能表示用データ記憶部４３に設定（図３：Ａ１８）し、機能名を表示部３のＬＣＤに表示する為のデータを格納する領域を第２の機能表示用データ記憶部４４に設定（図３：Ａ１９）するとともに第２の機能表示用データ記憶部４４を初期化（図３：Ａ２０）した後、機能名検索を行い、データポインタが指し示す位置までのデータ「チャ」で始まる機能名データがあればそれを第２の機能表示用データ記憶部４４に格納する（図２：Ａ１０〜１３）。
【００４０】
機能名記憶部４２内の、最初の文字が「チャ」で始まる機能名データの検索が終了した時点（図２：Ａ１０）で、第２の機能表示用データ記憶部４４にデータが格納されていればデータ一致した機能がある（図２：Ａ１４）ので、次に全キー入力データが比較されたか否かが判断される（図２：Ａ１５）が、この時点ではまだデータ「チャ」までが比較されただけであるので比較完了とはならず、キー入力記憶部４１のデータポインタが「チャク」に更新される（図２：Ａ１６）。
【００４１】
この時点で、データ「チャ」で始まる機能名は全て第２の機能表示用データ記憶部４４に格納されている（図３：Ａ１７）ので、次にキー入力記憶部４１のデータ「チャク」と比較する領域を第２の機能表示用データ記憶部４４に設定（図３：Ａ２１）し、機能名を表示部３のＬＣＤに表示する為のデータを格納する領域を第１の機能表示用データ記憶部４３に設定（図３：Ａ２２）するとともに第１の機能表示用データ記憶部４３を初期化（図３：Ａ２３）した後、機能名検索を行い、データポインタが指し示す位置までのデータ「チャク」で始まる機能名データを第１の機能表示用データ記憶部４３に格納する（図２：Ａ１０〜１３）。
【００４２】
以下同様に、データポインタが指し示す位置までのデータ「チャクシ」、「チャクシン」についての機能名検索が実行されると、この例の場合、全キー入力データ「チャクシン」の比較が完了した時点（図２：Ａ１５）では、データ「チャクシン」で始まる機能名（例えば、着信音量、着信履歴、着信拒否等）は第１の機能表示用データ記憶部４３に格納される（図３：Ａ２５）ので、この機能表示用データ記憶部４３に格納されているデータが表示部３のＬＣＤに表示される（図３：Ａ２６）。
【００４３】
従って、ユーザーは表示された機能名（着信音量、着信履歴、着信拒否等）から所望の機能（例えば、着信履歴）をカーソル等を用いて指定することにより選択可能となる。
【００４４】
上記検索途中に着信があって検索が中断された場合、それまでの検索結果は、第１または第２の機能表示用データ記憶部４３または４４に格納されており、その時点におけるデータポインタはキー入力記憶部４１に格納されているので、終話後にそのデータポインタから検索を再開することができ、キーワード検索を最初からやり直す必要はない。
【００４５】
また、最新の検索データは、その後第１または第２の機能表示用データ記憶部４３または４４に格納された状態となっており、キーワードを入力せずに機能名検索要求を実行すると、前回の検索データが表示部３のＬＣＤに表示される（図２：Ａ７）ので、検索結果を再度読み出す事が可能である。
【００４６】
また実施例では、２つの機能表示用データ記憶部を設けているが、機能表示用データ記憶部として３個以上設けておき、古い検索データから順に更新するように制御すれば、最近検索した複数のキーワード検索結果を保存しておくことができ、再度検索を行わなくても速やかに所望の機能を設定することが可能となる。
【００４７】
なお、実施例では携帯電話機に適用した場合について説明したが、本発明は携帯電話機のみならず、ＰＨＳ等の機能が大量にある通信装置に利用することが出来る。
【００４８】
【発明の効果】
本発明によれば、キーワード入力によりすぐにその機能の設定画面を読み出す事が出来るとともに、設定が中断された場合であっても、再度キーワード入力を行うことなく検索結果を読み出すことができるので、中断された機能検索を中断時点から再開することができる。
【００４９】
また、一度キーワードにより検索した最近のデータが保存されているので、当該機能に対する再度のキーワードによる検索を省略することができる。
【図面の簡単な説明】
【図１】本発明の実施形態を示すブロック図である。
【図２】本発明の動作を説明するためのフローチャートである。
【図３】本発明の動作を説明するためのフローチャートである。
【符号の説明】
１  キー入力部
２  装置制御部
３  表示部
４  記憶装置部
４１  キー入力記憶部
４２  機能名記憶部
４３  第１機能表示用データ記憶部
４４  第２機能表示用データ記憶部
５  アンテナ
６  無線部
７  送受話部
８  着信報知部
【図１】
0003699034.tif 000002
【図２】
0003699034.tif 000003
【図３】
0003699034.tif 000004